(57)【要約】【課題】この発明は、パルプを主原料とする表裏の和紙間に炭、アパタイト、ゼオライト、トルマリン、酸化チタン、無機消臭剤からなる群から選ばれた粒状もしくは粉状添加剤を漉き込んだパルプを主原料とする和紙を介在させて全体を一体化したサンドイッチ構造の和紙に関する。【解決手段】中間層として炭、アパタイト、ゼオライト、トルマリン、酸化チタン、無機消臭剤からなる群から選ばれた粒状もしくは粉状添加剤を漉き込んだ和紙を用い、この中間層の両側に和紙を積層したことを特徴とするサンドイッチ構造の和紙。【選択図】　　　　　図１
2004052152.tif 000002
【特許請求の範囲】
【請求項１】
中間層として炭、アパタイト、ゼオライト、トルマリン、酸化チタン、無機消臭剤からなる群から選ばれた粒状もしくは粉状添加剤を漉き込んだ和紙を用い、この中間層の両側に和紙を積層したことを特徴とするサンドイッチ構造の和紙。
【発明の詳細な説明】
【０００１】
【発明の属する技術分野】この発明は、パルプを主原料とする表裏の和紙間に炭、アパタイト、ゼオライト、トルマリン、酸化チタン、無機消臭剤からなる群から選ばれた粒状もしくは粉状添加剤を漉き込んだパルプを主原料とする和紙を介在させて全体を一体化したサンドイッチ構造の和紙に関するものである。
【０００２】
【従来の技術】障子紙や壁紙等に使用する和紙としては、パルプを主原料とする和紙に炭、アパタイト、ゼオライト、トルマリン、酸化チタン、無機消臭剤からなる群から選ばれた粒状もしくは粉状添加剤を漉き込んだものが提案されている。
【０００３】また、上述のような粒状もしくは粉状添加剤を配合した不織布やプラスチックフィルム等と和紙とを積層した障子紙や壁紙等の和紙も提案されている。
【０００４】
【発明が解決しようとする課題】しかしながら前記従来の各主成分を配合された和紙は、次のような問題点を有しており、実用性に乏しかった。
（１）障子紙や壁紙等を構成する和紙の表面または裏面に、粒状もしくは粉状添加剤を配合した不織布やプラスチックフィルムが露出してしまい、用途や使い方が限定されてしまうという問題点があった。
【０００５】
（２）粒状もしくは粉状添加剤を配合した不織布やプラスチックフィルムとこれと積層する和紙とのなじみが悪く、層間剥離を起こしたり、しわになりやすいという問題点もあった。
【０００６】
（３）またプラスチックフイルムを張り合わせたものは、障子紙や壁紙として使用されたときに、プラスチックフイルム面が見た目が悪い影響を及ぼすという問題点があり、しかもプラスチックフイルムを張り合わせることによって、障子紙や壁紙として要求される通気性が失われるという問題点もあった。
【０００７】この発明は、かかる問題点を解決し得るサンドイッチ構造の和紙の提供を目的とするものである。
【０００８】
【課題を解決するための手段】前記課題を解決するため、この発明のサンドイッチ構造の和紙は、中間層として炭、アパタイト、ゼオライト、トルマリン、酸化チタン、無機消臭剤からなる群から選ばれた粒状もしくは粉状添加剤を漉き込んだ和紙を用い、この中間層の両側に和紙を積層したことを特徴とするものである。
【０００９】この発明に係るサンドイッチ構造の和紙のより好ましい態様は、天然パルプを主原料とする表面、裏面の和紙間に、天然パルプにレーヨン製パルプ等の合成パルプを混抄したパルプ層に炭、アパタイト、ゼオライト、トルマリン、酸化チタン、無機消臭剤からなる群から選ばれた粒状もしくは粉状添加剤を漉き込んだ中間層を配置したことを特徴とするものである。そして上記炭、アパタイト、ゼオライト、トルマリン、酸化チタン、無機消臭剤からなる群から選ばれた粒状もしくは粉状添加剤は、脱臭あるいは消臭効果や、吸湿作用、マイナスイオン等による電気的、磁気的作用効果、遠赤外線による作用効果等を期待して添加することができる。
【００１０】前記サンドイッチ構造の和紙において、前記炭、アパタイト、ゼオライト、トルマリン、酸化チタン、無機消臭剤からなる群から選ばれた粒状もしくは粉状添加剤のパルプに対する配合量は、約０．１〜１５重量％程度に設定するのがよい。０．１以下の場合には上述したような効果がほとんど期待できず、５重量％以上の場合には、和紙全体として重くなりすぎて使用に耐えなくなってしまうからである。
【００１１】この発明に係るサンドイッチ構造の和紙は、抄紙工程を経て製造されるものであり、無端状に循環するフェルトの表面に、前記表面の和紙となる湿紙層を形成した後、該湿紙層に前記炭、アパタイト、ゼオライト、トルマリン、酸化チタン、無機消臭剤からなる群から選ばれた粒状もしくは粉状添加剤を炭化した中間パルプ層を重ね、その後、中間パルプ層の表面に、前記裏面の和紙となる湿紙層を形成し、その後、両湿紙層と中間パルプ層との一体化物を乾燥させること特徴とするものである。
【００１２】
【発明の実施の形態】以下、この発明の実施の形態を図面に基づいて説明する。図１においてこの発明に係るサンドイッチ構造の和紙１１は、抄紙工程を経て製造されたものである。すなわち、通常の製紙工程において用いられる無端状に循環するフェルトの表面に、前記表面の和紙２となる湿紙層を形成した後、該湿紙層に前記炭、アパタイト、ゼオライト、トルマリン、酸化チタン、無機消臭剤からなる群から選ばれた粒状もしくは粉状添加剤を添加した中間パルプ層２を重ね、その後、中間パルプ層２の表面に、前記裏面の和紙３となる湿紙層を形成し、全体を一体化したものである。
その後、両表裏面の和紙（湿紙層）１，３と中間パルプ層２との一体化物を乾燥させることによりサンドイッチ構造の和紙１１の完成となる。
【００１３】前記表面の和紙１及び裏面の和紙３は、従来の障子紙や壁紙等と同様に、天然パルプを主原料として製造されている。
【００１４】また前記中間パルプ層２は、前記炭、アパタイト、ゼオライト、トルマリン、酸化チタン、無機消臭剤からなる群から選ばれた粒状もしくは粉状添加剤を保持できる材質であればよく、強度や防湿性の面等において天然パルプにレーヨン製パルプ等の合成パルプを混抄したパルプ層を用いることが望ましい。
【００１５】このような構成を有する前期表面の和紙１と裏面の和紙３との間で中間パルプ層２を挟み、三者を一体化することにより、発明に係るサンドイッチ構造の和紙１が構成されている。そして前記中間パルプ層２内の炭、アパタイト、ゼオライト、トルマリン、酸化チタン、無機消臭剤からなる群から選ばれた粒状もしくは粉状添加剤による着色は前期表面の和紙１と裏面の和紙３とによって被覆され、この発明のサンドイッチ構造の和紙１１は、色合いや表面の肌合い等において従来の和紙とほとんど変わりがない。
【００１６】またこの発明のサンドイッチ構造の和紙１１は、障子紙等としての適当な透光性を確保することもでき、なおかつ脱臭あるいは消臭効果や、吸湿作用、マイナスイオン等による電気的、磁気的作用効果、遠赤外線による作用効果等を期待することができる。
【００１７】
【発明の効果】この発明に係るサンドイッチ構造の和紙は、パルプを主原料とする表裏の和紙間に炭、アパタイト、ゼオライト、トルマリン、酸化チタン、無機消臭剤からなる群から選ばれた粒状もしくは粉状添加剤を漉き込んだパルプを主原料とする和紙を介在させて全体を一体化したものであり、障子紙等としての適当な透光性を確保することができ、なおかつ脱臭あるいは消臭効果や、吸湿作用、マイナスイオン等による電気的、磁気的作用効果、遠赤外線による作用効果等を得ることができる。
【００１８】この発明に係るサンドイッチ構造の和紙は、各種フィルターとして、あるいは靴のインソール、介護用の各種シート類等の用途に効果的に利用することができる。
【図面の簡単な説明】
【図１】この発明に係るサンドイッチ構造の和紙を示す概略断面図である。
【符号の説明】
１　表面の和紙
２　中間パルプ層
３　裏面の和紙
１１　サンドイッチ構造の和紙
【図１】
2004052152.tif 000003